(57)【特許請求の範囲】
【請求項１】
グリセリンと下記アルコールとの合計１００モル％に対してグリセリンが５０モル％を超える割合で、
２価のアルコールにグリセリンを、または１価および２価のアルコールにグリセリンを、滴下もしくは分割装入して脱水縮合することにより得られるポリエーテルポリオール。
【請求項２】
水酸基価が２００〜１２００ｍｇＫＯＨ／ｇ、２５℃での粘度が５００００ｍＰａ・ｓ以下であることを特徴とする請求項１に記載のポリエーテルポリオール。
【請求項３】
１分子当たりの平均水酸基数が３以上であることを特徴とする請求項１または２に記載のポリエーテルポリオール。
【請求項４】
アルカリ金属および／またはアルカリ土類金属を含む触媒を用いて脱水縮合することにより得られる、請求項１〜３に記載のいずれか一項に記載のポリエーテルポリオール。
【請求項５】
グリセリンと下記アルコールとの合計１００モル％に対してグリセリンが５０モル％を超える割合で、
２価のアルコールにグリセリンを、または１価および２価のアルコールにグリセリンを、滴下もしくは分割装入して脱水縮合することを特徴とする請求項１〜４のいずれか一項に記載のポリエーテルポリオールの製造方法。
【請求項６】
グリセリンと下記アルコールとの合計１００モル％に対してグリセリンが５０モル％を超える割合で、
２価のアルコールおよび触媒を含んだ系にグリセリンを、または１価および２価のアルコール、並びに触媒を含んだ系にグリセリンを、滴下もしくは分割装入して脱水縮合することを特徴とする請求項１〜４のいずれか一項に記載のポリエーテルポリオールの製造方法。
【請求項７】
前記触媒がアルカリ金属および／またはアルカリ土類金属を含むことを特徴とする請求項６に記載のポリエーテルポリオールの製造方法。
【請求項８】
前記グリセリンが天然油脂を加水分解または加アルコール分解して得られるクルードグリセリンであることを特徴とする請求項５〜７のいずれか一項に記載のポリエーテルポリオールの製造方法。
【請求項９】
請求項１〜４のいずれか一項に記載のポリエーテルポリオールを含むポリオールとポリイソシアネートとを、触媒、発泡剤および整泡剤の存在下で反応させることにより得られる硬質ポリウレタン発泡体。
【請求項１０】
請求項１〜４のいずれか一項に記載のポリエーテルポリオールを含むポリオールとポリイソシアネートとを、触媒、発泡剤および整泡剤の存在下で反応させることを特徴とする硬質ポリウレタン発泡体の製造方法。
【発明の詳細な説明】
【技術分野】
【０００１】
本発明は、グリセリンを脱水縮合して得られるポリエーテルポリオール、このポリエーテルポリオールとポリイソシアネートとを反応させることにより得られる硬質ポリウレタンおよびその製造方法に関する。
【背景技術】
【０００２】
硬質ポリウレタン発泡体の原料であるポリエーテルポリオールは、従来、開始剤である活性水素化合物にエチレンオキサイドやプロピレンオキサイド、テトラヒドロフランなどの環状エーテル化合物を開環重合させる方法により製造されてきた。この方法は、環状エーテル化合物の活性が高いため、比較的穏やかな条件で反応が可能であるという優れた方法であり、この方法により製造されたポリエーテルポリオールは分子量分布が狭いという点で優れているが、環状エーテル化合物は沸点が低く、毒性も強いため、その保管や合成時の取り扱いが難しいという欠点がある。【０００３】
また、これらの環状エーテル化合物より得られるポリエーテルポリオールの平均水酸基数は、反応の性質上、開始剤中の活性水素数より高くなることはなく、場合によっては反応中の副反応により平均水酸基数が低下する可能性もある。したがって、特に高水酸基数を要求される硬質ポリウレタン発泡体用ポリエーテルポリオールを調製する際には、上記製造方法において、ペンタエリスリトールやソルビトール、糖類など多くの水酸基を持つ開始剤を選択する必要がある。しかしながら、多くの水酸基を持つ開始剤は固体状であることが多く、開始剤としての取り扱いが難しいという問題がある。【０００４】
一方、ポリエーテルポリオールは、アルコールを脱水縮合することによっても製造することができる。この方法では、アルコールとして１分子中に３以上の水酸基をもつポリオール化合物を用いることにより、理論上、ポリエーテルポリオール１分子当たりの水酸基数を増やすことができる。このような、１分子中に３以上の水酸基を持つポリオール化合物を脱水縮合して得られるポリエーテルポリオールとしては、グリセリンをアルカリ存在下で脱水縮合させて得たポリグリセリンが挙げられる（特開平２−１７２９３８号公報、特開平７−２１６０８２号公報）。硬質ポリウレタン発泡体のポリオール成分として使用する場合、縮合度が高いポリグリセリンを使用する必要があるが、ポリグリセリンは縮合度が高くなると非常に粘度が高くなるため、単独で硬質ポリウレタン発泡体のポリオール成分として使用することは困難であり、ポリグリセリンの割合が３０重量％以下となるように他のポリオールと混合して使用する必要があった（特開２００４−３５９８９１号公報）。【０００５】
また、本発明者らは、グリセリンと１価および／または２価のアルコールとを、これらの合計１００モル％に対して、グリセリンが５０モル％を超える割合で脱水縮合することにより、粘度の低いポリエーテルポリオールを得ることが出来ることを既に見出した（ＰＣＴ／ＪＰ２００７／０７０８３２）。
【先行技術文献】
【特許文献】
【０００６】
【特許文献１】特開平２−１７２９３８号公報
【特許文献２】特開平７−２１６０８２号公報
【特許文献３】特開２００４−３５９８９１号公報
【発明の概要】
【発明が解決しようとする課題】
【０００７】
アルコールの脱水縮合によるポリエーテルポリオールの調製時には、反応系内に、反応性水酸基が常に存在していることから、環状エーテルを用いてポリエーテルポリオールを調製する場合と比較し、分子量分布が広くなり、高分子量体が生成しやすい。特に、グリセリンのような３価以上のアルコールを用いた場合には、高分子量体の生成を抑制することが困難である。ＰＣＴ／ＪＰ２００７／０７０８３２においては、粘度が低く、高官能のポリエーテルポリオールを製造する方法を開示しているが、高分子量体の抑制に関して開示されていない。【０００８】
一方、硬質ポリウレタン発泡体を製造する際には官能基数が３から６程度かつ、分子量が１０００未満のポリオールを用いることが多い。これは、ポリオール分子鎖を長くすると、ポリオール分子鎖の運動性が高くなり、ポリウレタン発泡体とした際に、軟らかくなってしまうことおよび、分子量が大きなポリオールを用いると発泡時に破泡し、連続気泡のフォームとなってしまうためである。連続気泡となった場合、独立気泡の発泡体と比較して熱伝導率が上がり、断熱材としての使用が難しくなる。【０００９】
本発明は、上記のような従来技術に伴う問題を解決しようとするものであって、アルコールの脱水縮合反応により得られる高官能かつ低粘度、かつ分子量１０００以上の高分子量体が少ないポリエーテルポリオールを提供することを目的としている。
【課題を解決するための手段】
【００１０】
本発明に係るポリエーテルポリオールは、グリセリンと１価および／または２価のアルコールとの合計１００モル％に対してグリセリンが５０モル％を超える割合で、１価および／または２価のアルコールにグリセリンを滴下もしくは分割装入して脱水縮合することにより得られる。【００１１】
前記ポリエーテルポリオールの水酸基価が２００〜１２００ｍｇＫＯＨ／ｇ、２５℃での粘度が５００００ｍＰａ・ｓ以下であることが好ましく、１分子当たりの平均水酸基数が３以上であることがより好ましい。【００１２】
前記ポリエーテルポリオールは、アルカリ金属および／またはアルカリ土類金属を含む触媒を用いて脱水縮合することにより得られることが好ましい。【００１３】
本発明のポリエーテルポリオールの製造方法は、グリセリンと１価および／または２価のアルコールとの合計１００モル％に対してグリセリンが５０モル％を超える割合で、１価および／または２価のアルコールにグリセリンを滴下もしくは分割装入して脱水縮合することを特徴とする。【００１４】
本発明のポリエーテルポリオールの製造方法は、グリセリンと１価および／または２価のアルコールとの合計１００モル％に対してグリセリンが５０モル％を超える割合で、１価および／または２価のアルコールおよび触媒を含んだ系にグリセリンを滴下もしくは分割装入して脱水縮合することが好ましい。【００１５】
前記触媒がアルカリ金属および／またはアルカリ土類金属を含むことが好ましい。【００１６】
前記グリセリンが天然油脂を加水分解または加アルコール分解して得られるクルードグリセリンであることが好ましい。【００１７】
本発明の硬質ポリウレタン発泡体は、前記記載のポリエーテルポリオールを含むポリオールとポリイソシアネートとを、触媒、発泡剤および整泡剤の存在下で反応させることにより得られる。【００１８】
本発明の硬質ポリウレタン発泡体の製造方法は、前記記載のポリエーテルポリオールを含むポリオールとポリイソシアネートとを、触媒、発泡剤および整泡剤の存在下で反応させることを特徴とする。
【発明の効果】
【００１９】
本発明によると、水酸基数が多く、低粘度かつ、分子量１０００以上の高分子量体が抑制されたポリエーテルポリオールを容易に得ることができる。このポリエーテルポリオールは、硬質ポリウレタン発泡体に用いられるポリオール成分として有用であり、このポリエーテルポリオールを用いて得られる硬質ポリウレタン発泡体は、建材パネル、冷蔵庫、冷凍庫、配管などの断熱材、住宅、車両などの構造支持材に利用することができる。
【発明を実施するための形態】
【００２０】
本発明に係るポリエーテルポリオールは、グリセリンと１価および／または２価のアルコールとの合計１００モル％に対してグリセリンが５０モル％を超える割合で、１価および／または２価のアルコールにグリセリンを滴下もしくは分割装入して脱水縮合することにより得ることができる。
【００２１】
硬質ポリウレタン発泡体のポリオール成分として使用できる程度の縮合度までグリセリンのみを縮合させると粘度が高くなりすぎて、硬質ポリウレタン発泡体のポリオール成分として使用することが困難となる。一方、グリセリンの割合が５０モル％以下になると、ポリエーテルポリオールの水酸基数が低下し過ぎるため、硬質ポリウレタン発泡体を調製した際に発泡体の強度が低下する。グリセリンの割合は、５０モル％を超えて９５モル％以下が好ましく、６０モル％以上９０モル％以下がより好ましい。また、グリセリンを１価および／または２価のアルコールに滴下もしくは分割装入することにより、グリセリンの縮合反応が進みすぎることなく、高分子量体を抑制することが出来る。
【００２２】
本発明では、上記グリセリンとして必ずしも精製されているものを使用する必要はなく、硬質ポリウレタン発泡体などの最終生成物が目的の特性を確保できる範囲内で、植物油などの天然油脂を加水分解して得られるクルードグリセリンを用いることもでき、その純度も９５%以下であってもよい。カーボンニュートラルの概念を用いると、植物由来のクルードグリセリンを用いることにより、これを用いて調製されるポリオールおよびポリウレタン発泡体を燃やした場合の二酸化炭素排出量を減ずることができる。なお、ポリマーがバイオマス原料を利用していることは、ＡＳＴＭ  Ｄ６８６６に規定されているように質量数１４の炭素の含有量、質量数１２および質量数１３の炭素の含有量を測定し質量数１４の炭素含有割合（１４Ｃ濃度）を求めることにより判別することができる。
【００２３】
具体的には、ＡＳＴＭ（米国標準検査法）  Ｄ６８６６  ０４  （Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ｂｉｏｂａｓｅｄ  Ｃｏｎｔｅｎｔ  ｏｆ  Ｎａｔｕｒａｌ  Ｒａｎｇｅ  Ｍａｔｅｒｉａｌｓ  Ｕｓｉｎｇ  Ｒａｄｉｏｃａｒｂｏｎ  ａｎｄ  Ｉｓｏｔｏｐｅ  Ｒａｔｉｏ  Ｍａｓｓ  Ｓｐｅｃｔｒｏｍｅｔｒｙ  Ａｎａｌｙｓｉｓ）に記載されているように、サンプルを燃焼してＣＯ2とし、正確に定量したＣＯ2ガスをＡＭＳ（Ａｃｃｅｌｅｒａｔｅｄ  Ｍａｓｓ  Ｓｐｅｃｔｒｏｍｅｔｒｙ）装置に入れて質量数１４の炭素の含有量、質量数１２および質量数１３の炭素の含有量を測定し、大気中や石油化学品中に存在する質量数１４の炭素の存在率と比較することにより判別できる。
【００２４】
また、サンプルを燃焼し、得られたＣＯ2をＣＯ2吸収剤で吸収し、液体シンチレーションカウンターにより質量数１４の炭素量を測定するか、得られたＣＯ2をベンゼンに変換し、液体シンチレーションカウンターにより質量数１４の炭素量を測定し、石油由来のものと比較することにより判別することもできる。
【００２５】
石油由来原料だけでポリオールが合成される場合、質量数１４の炭素は観測ざれず、植物由来の原料を用いると質量数１４の炭素が観測される。二酸化炭素排出量を減ずる効果を得るには、１４Ｃ濃度の値が１０ｐＭＣ（Ｐｅｒｃｅｎｔ  Ｍｏｄｅｒｎ  Ｃａｒｂｏｎ）以上であればよく、好ましくは３０ｐＭＣ以上、さらに好ましくは５０ｐＭＣ以上であればよい。
【００２６】
上記１価および／または２価のアルコールは、特に制限されないが、沸点が、アルコールとグリセリンとの脱水縮合を好適に行う際の反応温度の下限である１６０℃以上のものが好ましい。このような１価のアルコールとしては、１−ヘプタノール、１−オクタノール、２−オクタノール、１−デカノール、１−ドデカノール、２−ドデカノール、１−トリデカノール、２−トリデカノール、１−テトラデカノール、２−テトラデカノール、７−テトラデカノール、１−ヘキサデカノール、２−ヘキサデカノール、１−オクタデカノール、カテコール、ノニルアルコール、イソデシルアルコール、イソトリデシルアルコール、シクロヘキサノール、オレイルアルコール、エライジルアルコール、フェノール、ｐ−エチルフェノール、ナフトール、キシリレノール、グアヤコール、グエトール、ｐ−（α−クミル）フェノール、クレゾール、ｐ−ｔ−ブチルフェノール、フェニルフェノール、４−フェノキシフェノール等が挙げられる。２価のアルコールとしては、エチレングリコール、ジエチレングリコール、トリエチレングリコール、プロピレングリコール、１，３−プロパンジオール、ジプロピレングリコール、トリプロピレングリコール、１，２−ブタンジオール、１，３−ブタンジオール、１，４−ブタンジオール、２，３−ブタンジオール、１，５−ペンタンジオール、ネオペンチルグリコール、１，６−ヘキサンジオール、ヘキシレングリコール、１，７−ヘプタンジオール、１，８−オクタンジオール、１，９−ノナンジオール、１，１０−デカンジオール、１，４−シクロヘキサンジオール、イソソルビド、ビスフェノールＡ、カテコール、４−ｔ−ブチルカテコール、ハイドロキノン、２−ｔ−ブチルヒドロキノン、レゾルシン、ｐ−ヒドロキシフェネチルアルコール、１，４−ジヒドロキシナフタレン、１，４−ジヒドロキシアントラキノン、ポリエチレングリコール２００、ポリエチレングリコール４００などが挙げられる。さらに、上記アルコールを開始剤として用いた市販の硬質ポリウレタンフォーム用ポリオールのうち、１価あるいは２価のアルコールを用いることもでき、これらの例としては三井化学（株）製ＫＢ−２８０、ＫＢ−３００、ＥＳ−４１、ＥＳ−０１、Ｄｉｏｌ−２８０、Ｄｉｏｌ−４００などが挙げられる。これらのアルコールは１種単独で用いても２種以上を組み合わせて用いてもよい。
【００２７】
上記縮合反応を行う際、通常はグリセリンの縮合反応に用いられる公知の触媒、好ましくはアルカリ触媒を使用する。触媒濃度は、特に制限されないが、たとえば、グリセリンおよびアルコール成分の全水酸基に対して０．０１〜１０モル％が好ましい。
【００２８】
アルカリ触媒としては、アルカリ金属および／またはアルカリ土類金属を含む触媒であることが好ましく、具体的にはナトリウム、リチウム，カリウム、カルシウム、セシウムもしくはマグネシウムなどのアルカリ金属またはアルカリ土類金属の水酸化物、炭酸塩もしくは酸化物などが好ましい。またアルカリ触媒として、トリス〔トリス（ジメチルアミノ）ホスホラニリデン〕ホスホリックトリアミド（ＰＺＯ）、テトラキス〔トリス（ジメチルアミノ）ホスホラニデンアミノ〕ホスホニウムヒドロキシド（ＰＺＮ）、トリス[トリス(ジメチルアミノ)ホスホラニリデンアミノ]ホスフィンスルフィド（ＰＺＳ）などのホスファゼン触媒などを用いてもよい。これらアルカリ触媒としては、一種単独で用いても二種以上を用いてもよい。
【００２９】
また、アルカリ触媒と固体酸触媒とを組み合わせて使用することも可能である。
【００３０】
固体酸触媒としては、たとえば、下記（Ａ）〜（Ｆ）の触媒が挙げられる。
（Ａ）層構造を有する珪酸塩に酸を含浸させ、乾燥した触媒（以下、「触媒Ａ」）。
（Ｂ）Ｆｅ、Ｔｉ、Ｚｒ、Ｈｆ、Ｍｏ、Ｗ、Ｖ、Ｓｎ、Ｓｉ、Ａｌ、Ｚｎ、ＭｇおよびＣａからなる群から選ばれる少なくとも１種の金属を含む無定型または結晶性の金属酸化物に酸を吸着させて焼成した触媒（以下、「触媒Ｂ」）。
（Ｃ）焼成前の上記無定型または結晶性の金属酸化物の水酸化物（部分水酸化物を含む）に酸根含有のシランカップリング剤またはチタンカップリング剤を反応させた触媒（以下、「触媒Ｃ」）。
（Ｄ）酸型のカチオン交換樹脂（以下、「触媒Ｄ」）。
（Ｅ）Ｃｕ、Ｚｎ、Ｂ、Ａｌ、Ｆｅ（ＩＩ）、ＮｉおよびＭｎからなる群から選ばれる少なくとも１種の金属を含む無機酸塩を焼成した触媒（以下、「触媒Ｅ」）。
（Ｆ）ヘテロポリ酸の不溶性酸性塩（以下、「触媒Ｆ」）。
【００３１】
（触媒Ａ）
珪酸塩としては、層構造を有するものであれば特に制限されない。たとえば、スメクタイト族珪酸塩、酸性白土、活性白土、バーミキュライト等を挙げることができる。スメクタイト族珪酸塩としては、モンモリロナイト、バイデーライト、ノントロナイト、ボルコンスコアイト、サポナイト、鉄サポナイト、ヘクトライト、ソーコナイト等を挙げることができる。また、スメクタイト族珪酸塩を主成分とするベントナイト等を用いることもできる。
【００３２】
触媒Ａの原料が、層構造を有する珪酸塩以外の成分、たとえば層構造を有しない珪酸塩やその他の物質を含む場合、原料中の層構造を有する珪酸塩の含有量は、１０重量％以上が好ましく２０重量％以上がより好ましい。
【００３３】
酸としては、無機酸および有機酸のいずれを用いてもよい。無機酸としては、たとえば、塩酸、硫酸、硝酸、リン酸、ポリリン酸、亜リン酸、過塩素酸等が挙げられる。有機酸としては、ギ酸、酢酸、蓚酸、モノクロル酢酸、トリフルオロ酢酸、トリフルオロメタンスルホン酸、パラトルエンスルホン酸、ベンゼンスルホン酸、メタンスルホン酸、ナフタリンスルホン酸、ホウ酸、タングステン酸、モリブデン酸、バナジン酸、クロム酸、ヘテロポリ酸（１２−タングストリン酸、１２−タングストケイ酸、１２−モリブドリン酸、１２−モリブドケイ酸、１２−タングストモリブドリン酸、１２−バナドモリブドリン酸、１１−モリブド−１−タングストリン酸、１０−モリブド−２−タングストリン酸、８−モリブド−４−タングストリン酸、５−モリブド−７−タングストリン酸、３−モリブド−９−タングストリン酸、１−モリブド−１１−タングストリン酸、１１−モリブド−１−タングストケイ酸、８−モリブド−４−タングストケイ酸、６−モリブド−６−タングストケイ酸、３−モリブド−９−タングストケイ酸、１−モリブド−１１−タングストケイ酸、１１−タングスト−１−バナドリン酸、１０−タングスト−２−バナドリン酸、８−タングスト−４−バナドリン酸、１１−モリブド−１−バナドリン酸、１０−モリブド−２−バナドリン酸、８−モリブド−４−バナドリン酸等）等が挙げられる。
【００３４】
触媒Ａは、たとえば以下の方法により製造できる。流動床装置、ドラム型混合機、リボンミキサー、高速回転ミキサー（ヘンシェルミキサー）またはＶ型混合機等を用いて触媒原料を流動させながら、濃度１０〜９０重量％の酸水溶液を噴霧し、触媒原料に酸を含浸させる。酸を含浸させた触媒原料をそのまま又は必要に応じて水洗して遊離酸根を除去した後、常圧または減圧下、１１０〜１６０℃で３〜５時間乾燥し、さらに必要に応じて常圧または減圧下、３００〜１０００℃で３〜６時間焼成する。
【００３５】
（触媒Ｂ）
無定型または結晶性の金属酸化物は、天然物でも合成物でもよい。たとえば、ゼオライト（Ａ、Ｘ、Ｙ、フォージャサイト、Ｍ型、Ｌ型、オフレタイト、エリオナイト、モルデナイト、フェリエライト、クリノプチライト、ＺＳＭ−５、ＺＳＭ−１１、シリカライト、ゼオライトβ、ＭＣＭ−２２、ＳＳＺ−２６、ＭＣＭ−４１、ＭＣＭ−４８等）、置換ゼオライト（ＡＬＰＯ、ＳＡＰＯ−５、ＭＡＰＯ、ＧＡＰＯ等）、メタロシリケート（ＴＳ−１、ＴＳ−２、Ｔｉ−ＭＣＭ−４１、Ｔｉ−ＭＣＭ−４８、ＶＳ−２（Ｉ）、ＶＳ−２（II）、鉄−シリケート、マンガン−シリケート、コバルト−シリケート、亜鉛−シリケート、ホウ素−シリケート等）等を挙げることができる。
【００３６】
酸は、上記触媒Ａにおいて例示したものを使用することができる。
【００３７】
触媒Ｂは、たとえば以下の方法により製造できる。流動床装置、ドラム型混合機、リボンミキサー、高速回転ミキサー（ヘンシェルミキサー）またはＶ型混合機等を用いて触媒原料を流動させながら、濃度１０〜９０重量％の酸水溶液を噴霧し、触媒原料に酸を吸着させる。酸を吸着させた触媒原料をそのまま又は必要に応じて水洗して遊離酸根を除去した後、常圧または減圧下、１１０〜１６０℃で３〜５時間乾燥し、さらに常圧または減圧下、３００〜１０００℃で３〜６時間焼成する。
【００３８】
（触媒Ｃ）
無定型または結晶性の金属酸化物の水酸化物（部分水酸化物を含む）は、上記焼成前の金属酸化物を、水−アルコール混合溶媒中で５０〜１１０℃で１〜１０時間加熱することによって得ることができる。触媒Ｃは、この水酸化物を酸根含有のシランカップリング剤またはチタンカップリング剤を反応させることにより調製できる。また、酸根含有のシランカップリング剤またはチタンカップリング剤の代わりに酸根の前駆体基を含有するカップリング剤を用いてもよい。この場合、水酸化物と酸根の前駆体基を含有するカップリング剤とを反応させた後、前駆体基を酸根に変換する。このような変換反応としては、−Ｃｌ、−Ｂｒ基のｓｔｒｅｃｋｅｒ反応による−ＳＯ3Ｈ基への変換、−ＳＨ基のパーオキシド、二酸化クロム、過マンガン酸塩、ハロゲン等の酸化剤による−ＳＯ3Ｈ基への変換等が挙げられる。
【００３９】
（触媒Ｄ）
酸型のカチオン交換樹脂としては、強酸性陽イオン交換樹脂が挙げられる。この強酸性陽イオン交換樹脂はゲル型でもポーラス型でもよい。たとえば、スチレン−ジビニルベンゼン三次元共重合体、フェノール−ホルマリン縮合物のスルホン化物、テトラフルオロエチレン−パーフルオロ〔２−（フルオロスルホニルエトキシ）プロピルビニルエーテル〕共重合体等が挙げられる。
【００４０】
このような強酸性陽イオン交換樹脂の市販品としては、ダイヤイオン：ＳＫＩＢ、ＳＫ１０２、ＳＫ１１６、ＰＫ２０６、ＰＫ２０８、ＰＫ２１２、ＰＫ２１６、ＨＰＫ２５、ＨＰＫ５５（以上、三菱化学（株）製）；アンバーライト：ＩＲ１２０Ｂ、ＩＲ１２２、ＩＲ１２４、２００Ｃ、２５２、２００ＣＴ、デュオライト：Ｃ２０、Ｃ２６、Ｃ２５Ｄ、ＥＳ２６（以上、ローム＆ハース社製）、ダウエックス：ＨＣＲ−Ｓ、ＨＧＲ−Ｗ２、５０Ｗ−Ｘ８、ＭＳＣ−１（以上、ダウケミカル社製）、アイオナック：Ｃ−２４０（サイブロン社製）、レバチット：Ｓ−１００、Ｓ−１０９、ＳＰ−１１２、ＳＰ−１２０、バイエルキャタリスト：Ｋ１１３１、Ｋ１４１１、Ｋ１４３１、Ｋ１４８１、Ｋ２４１１、Ｋ−２４３１、Ｋ２４４１、Ｋ２４６１、Ｋ２６１１、Ｋ２６３１、Ｋ２６４１、Ｋ２６６１（以上、バイエル社製）、ナフィオン：１１７、４１７、ナフィオンＮＲ−５０（以上、デュポン社製）、デロキサン：ＡＳＰ１／９、ＡＳＰ１／７、ＡＳＰＩＶ／６−２、ＡＳＰＩＩ／３．６％Ａｌ（以上、デグサ社製）等が挙げられる。
【００４１】
（触媒Ｅ）
触媒Ｅは、金属無機酸塩を常圧または減圧下、３００〜１０００℃で３〜６時間焼成することにより製造できる。無機酸としては、塩酸、硫酸、硝酸、リン酸、ポリリン酸、亜リン酸、過塩素酸等が挙げられる。
【００４２】
（触媒Ｆ）
ヘテロポリ酸の不溶性酸性塩としては、Ｃｓ2.5Ｈ0.5ＰＷ12Ｏ40等が挙げられる。
【００４３】
〔脱水縮合〕
グリセリンと１価および／または２価のアルコールとの脱水縮合に使用する反応装置は、生成する水を留出させることができる器具を備えた装置であれば、どのような反応装置を用いてもよい。たとえば、反応器上部に蒸留塔を連結し、さらに凝縮器を連結した反応装置が挙げられる。
【００４４】
蒸留塔は、原料であるグリセリンならびに１価および／または２価のアルコール、反応により生成する水および低重合物等のうち、原料や低重合物などの必要な成分を反応装置へ還流し、水などの不要な成分を凝縮器に排出するために用いる。蒸留塔の理論段数は特に制限はないが、通常１〜２０段である。また、蒸留塔中の充填物は特に制限はないが、通常、ラシヒリング、ベルルサドル、マクマホン、キャノン、ステップマン、スルーザパッキン、ディクソンなどを用いる。蒸留塔の温度は特に制限はなく、冷媒あるいは熱媒を用いて任意の温度に設定することができる。
【００４５】
凝縮器は、水や副反応で生成した低沸分を凝縮させるために用いる。凝縮は、通常冷媒を用いて行い、冷媒の温度は特に制限はないが、通常−３０℃〜６０℃程度である。
【００４６】
上記脱水縮合における反応温度は、脱水縮合が始まる温度であれば特に制限されないが、１６０〜２８０℃が好ましく、２００〜２６０℃がより好ましい。また、反応時の圧力も特に制限はなく、グリセリンならびに１価および／または２価のアルコールの大部分が水とともに留出しない条件であれば、常圧、減圧、加圧のどの条件で反応を行なってもよい。
【００４７】
グリセリンを、１価および／または２価のアルコールを含む反応装置に導入する際は、フィードポンプなどを用いて滴下してもかまわないし、導入するグリセリンを数回に分けて分割装入してもかまわない。また、前記グリセリンが導入される１価および／または２価のアルコールを含む反応装置は、１価および／または２価のアルコールおよび触媒を含む反応装置であることが好ましい。
【００４８】
得られるポリエーテルポリオールの高分子量体を抑制するには、脱水縮合時における系内（反応装置内）のグリセリン濃度が高くならないようにすることが好ましく、分割装入においては、最終的に仕込まれるグリセリンのモル数をＡ、１価アルコールおよび／または２価アルコールのモル数をＢとした際に分割装入回数がＡ／Ｂより多いことが好ましく、２Ａ／Ｂより多いことがさらに好ましい。また、分割装入における添加の頻度はグリセリンがある程度系内で消費されるような頻度であれば特に制限はなく、任意に設定できるが、一括装入と比較して高分子量体が出来ないようにするために添加間隔を３０分以上とすることが好ましい。
【００４９】
滴下により反応装置にグリセリンを導入する場合には、１時間に仕込むグリセリンのモル数をＣとし、１価アルコールおよび／または２価アルコールのモル数をＢとした際にＣ／Ｂ＜１であることが好ましく、Ｃ／Ｂ＜０．５であることがさらに好ましい。また、反応時間をいたずらに長くしないため、Ｃ／Ｂ＞０．０５であることも好ましい。
【００５０】
また、触媒は、グリセリンに溶解させ、グリセリンとともに装入してもよいし、１価および／または２価のアルコールとともに当初より反応系内に含んでいてもよいが、装入したグリセリンを速やかに反応させる点から、１価および／または２価のアルコールとともに当初より反応系内に含んでいる方が好ましい。すなわち、１価および／または２価のアルコールおよび触媒を含んだ系にグリセリンを滴下もしくは分割装入して脱水縮合することが好ましい。
【００５１】
〔ポリエーテルポリオール〕
上記方法により、好ましくは水酸基価が２００〜１２００ｍｇＫＯＨ／ｇ、より好ましくは３００〜８００ｍｇＫＯＨ／ｇ、好ましくは２５℃での粘度が５００００ｍＰａ・ｓ以下であるポリエーテルポリオールを得ることができる。このようなポリエーテルポリオールは硬質ポリウレタン発泡体用のポリオール成分として好適に用いることができる。水酸基価が上記下限未満になると硬質ポリウレタン発泡体のガラス転移温度が低下し、充分な硬度の硬質ポリウレタン発泡体が得られない。一方、水酸基価が上記上限を超えるとポリオール成分中の水酸基濃度が高くなりすぎ、硬質ポリウレタン発泡体を製造する際に急激な発熱によるスコーチを引き起こすことがある。また、粘度が上記範囲にあると硬質ポリウレタン発泡体を製造する際に常温から５０℃までの範囲で発泡することができる。
【００５２】
上記ポリエーテルポリオールは、１分子当たりの平均水酸基数が３以上であることが好ましく、３以上１０以下であることがより好ましい。これにより、硬質ポリウレタン発泡体の架橋度を高くし、樹脂強度を高めることができる。
【００５３】
また、上記ポリエーテルポリオールは、分子量１０００以上の高分子量成分が、好ましくは３０ｗｔ％以下であり、より好ましくは２０ｗｔ％以下であり、さらに好ましくは１０ｗｔ％以下である（ただしポリエーテルポリオール全体を１００ｗｔ％とする）。前記範囲では、該ポリエーテルポリオールを用いて硬質ポリウレタン発泡体を形成すると、発泡時の破泡が抑制され、連続気泡の少ない硬質ポリウレタン発泡体となるためこのましい。このような発泡体は、連続気泡が少ないため、熱伝導率が下がり、断熱材として使用することができる。
【００５４】
〔ポリエーテルポリオールの脱モノマー〕
本発明により得られるポリエーテルポリオールにおいては、グリセリンや、１価および／または２価のアルコールが未反応のまま残存することがある。この未反応モノマーは硬質ポリウレタン発泡体調製の前に減圧下でストリップする方法などの公知の方法により除去しても良い。
【００５５】
〔ポリエーテルポリオールの精製〕
得られたポリオールは、精製を行って触媒を除去してもよいし、特に精製を行わずそのまま硬質ポリウレタン発泡体調製に用いてもよい。精製の手法は使用した触媒の種類に応じて、既知の方法を用いることができる。
【００５６】
触媒として、水酸化カリウムや水酸化ナトリウム、炭酸カリウム、ホスファゼン触媒などの塩基性触媒を用いた場合は、塩酸、酢酸、シュウ酸などの酸により中和を行った後、ろ過あるいは遠心分離すること、あるいは陽イオン交換樹脂を用いることによる、陽イオンの除去などにより、触媒を除くことができる。また、ポリオールが着色した場合は、活性炭などにより、着色成分を吸着して除いても良い。
【００５７】
〔硬質ポリウレタン発泡体〕
本発明に係る硬質ポリウレタン発泡体は、上記ポリエーテルポリオールを含むポリオール成分とポリイソシアネートとを、触媒、発泡剤および整泡剤の存在下で従来公知の方法で反応、発泡させることにより製造することができる。上記ポリエーテルポリオールを用いて製造された硬質ポリウレタン発泡体は、圧縮強度、寸法安定性、熱伝導率に優れている。このため本発明の硬質ポリウレタン発泡体は、建材パネル、冷蔵庫、冷凍庫、配管などの断熱材、住宅、自動車を始めとする車両などの構造支持材に利用することができる。
【００５８】
ポリオール成分は、上記ポリエーテルポリオール単独でもよく、上記ポリエーテルポリオールと他のポリオールとの混合物でもよい。他のポリオールは、水酸基を末端に持つものであれば特に限定されないが、公知のポリエーテルポリオールやポリエステルポリオールなどをあげることができる。
【００５９】
他のポリオールとして用いられるポリエーテルポリオールとしては、多価アルコール、芳香族アミン、脂肪族アミンにアルキレンオキシドを付加重合させて得たポリエーテルポリオール等が挙げられる。
【００６０】
前記多価アルコールとしては、ポリエーテルポリオールの製造に用いることができるものであればいずれでも用いることができる。具体的には、たとえば、エチレングリコール、ジエチレングリコール、トリエチレングリコール、プロピレングリコール、ジプロピレングリコール、トリプロピレングリコール、トリメチロールプロパン、トリメチロールエタン、グリセリン、ペンタエリスリトール、アルファメチルグルコシド、麦芽糖、ソルビトール、ショ糖等が挙げられる。これらは単独で、または複数を組み合わせて用いることができる。
【００６１】
前記芳香族アミンとしては、たとえばトリレンジアミン（以下、「ＴＤＡ」と略す）および／または粗ＴＤＡ、ジフェニルメタンジアミン（以下、「ＭＤＡ」と略す）および／または粗ＭＤＡ等が挙げられる。
【００６２】
前記脂肪族アミンとしては、たとえばエチレンジアミン、トリエタノールアミン、イソプロパノールアミン等が挙げられる。これらは単独で、または複数を組み合わせて用いることができる。
【００６３】
前記アルキレンオキシドとしては、ポリエーテルポリオールの製造に用いられるアルキレンオキシドであればいずれでもよいが、たとえば、炭素数２〜８のアルキレンオキシドが挙げられる。より具体的には、エチレンオキシド、プロピレンオキシド、ブチレンオキシド等が挙げられ、この中でもプロピレンオキシド、ブチレンオキシドを用いることが好ましい。これらは単独で、または複数を組み合わせて用いることができる。
【００６４】
ポリエステルポリオールとしては、芳香族カルボン酸または脂肪族カルボン酸等の無水物を、多価アルコールまたは脂肪族アミン類により半エステル化させた後、アルキレンオキシドを重合させたもの、あるいは芳香族カルボン酸または脂肪族カルボン酸を多価アルコールと縮合反応させて得られたものが挙げられる。
【００６５】
前記芳香族カルボン酸としては、たとえば、フタル酸、テレフタル酸、イソフタル酸、ピロメリット酸等が挙げられ、前記芳香族カルボン酸の無水物としては、たとえば、無水フタル酸、ピロメリット酸無水物等が挙げられる。
【００６６】
前記脂肪族カルボン酸としては、たとえば、アジピン酸、コハク酸、マレイン酸等が挙げられ、前記脂肪族カルボン酸の無水物としては、たとえば、無水コハク酸、無水マレイン酸等が挙げられる。
【００６７】
ポリイソシアネートとしては、２官能以上のポリイソシアネートであれば制限はないが、ジフェニルメタンジイソシアネート（以下、「ＭＤＩ」と略す）、ポリメリックＭＤＩ、トリレンジイソシアネート（以下、「ＴＤＩ」と略す）、ヘキサメチレンジイソシアネート（以下、「ＨＤＩ」と略す）、キシレンジイソシアネート（以下、「ＸＤＩ」と略す）、ノルボルネンジイソシアネート（以下、「ＮＢＤＩ」と略す）、ジシクロヘキシルメタンジイソシアネート（以下、「Ｈ12ＭＤＩ」と略す）、水添キシリレンジイソシアネート（以下、「Ｈ6ＸＤＩ」と略す）、イソホロンジイソシアネート（以下、「ＩＰＤＩ」と略す）などが挙げられる。なお、これらのポリイソシアネートは、単独で用いてもよく、２種類以上を混合して用いても良い。硬質ポリウレタンフォームを調製する際のポリイソシアネートとしては、ＴＤＩおよび／またはＭＤＩを用いることが好ましい。
【００６８】
ＴＤＩとしては、異性体を単独で、または混合物として使用することができる。すなわち、２，４−体（２，４−ＴＤＩ）１００％品、２，４−体／２，６−体＝８０／２０または６５／３５（それぞれ質量比）のもの、およびこれらの混合物、さらに、多官能性のタールを含有する粗ＴＤＩ（たとえば、三井化学（株）製ＴＤＩ−ＴＲＣ）も使用できる。
【００６９】
ＭＤＩとしては、４，４'−体（４，４'−ＭＤＩ）を主成分とするもの、３核体以上の多核体を含有するポリメリックＭＤＩ（たとえば、三井化学（株）製コスモネートシリーズ）が好適に使用できる。
【００７０】
また、ポリイソシアネートとして、ヌレート変性、カルボジイミド変性、プレポリマー変性（ポリイソシアネートと上記ポリオールとから得られる、イソシアネート基を分子末端に有するプレポリマー）、ウレトジオン変性等の変性ポリイソシアネート化合物を用いることもできる。これらのポリイソシアネートおよびその変性体は、１種単独または２種以上を組み合わせて使用することができる。
【００７１】
本発明に用いる、ポリオールと、ポリイソシアネートとの割合は特に限定はないが、ポリイソシアネートに含まれるイソシアネート基とポリオールに含まれる活性水素基とのモル比が通常は５０：１００〜３００：１００の範囲、好ましくは９０：１００〜１５０：１００となる範囲である。
【００７２】
触媒、発泡剤および整泡剤は、通常の硬質ポリウレタン発泡体の製造に用いられるものを用いることができる。また、必要に応じ、その他添加剤として、難燃剤、酸化防止剤、着色剤、可塑剤、安定剤等を本発明の目的を損なわない範囲内で使用することができる。
【実施例】
【００７３】
以下、本発明を実施例により説明するが、本発明は、この実施例により何ら限定されるものではない。なお、「部」は、特に断らない限り、「重量部」を表す。また、実施例、比較例における分析、測定は以下の方法に従って行った。【００７４】
＜ポリエーテルポリオールの特性＞
水酸基価：水酸基価を、ポリエーテルポリオール１ｇ中の水酸基に相当する水酸化カリウムのｍｇ数と定義し、測定はＪＩＳ  Ｋ１５５７、６．４項「水酸基価」に従って行った。【００７５】
粘度：円錐平板型回転粘度計（Ｅ型粘度計）を用い、２５℃でのポリエーテルポリオールの粘度を測定した。【００７６】
グリセリンモノマー量（グリセリン純度）：得られたポリエーテルポリオールを０．０３ｇ程度精秤し、Ｎ，Ｏ−トリメチルシリルアセトアミド０．５ｇを加えた後、ジメチルホルムアミドを加えて１０ｍＬにメスアップし、６時間以上常温で放置したものを測定試料とした。この測定試料２マイクロリットルを、以下の条件で、ガスクロマトグラフィーＧＣ−１４Ａ（（株）島津製作所製）にて測定することにより、ポリエーテルポリオールのグリセリンモノマー量（グリセリン純度）を求めた。なお、検量線は試薬グリセリン（和光純薬工業（株）製）を用いて作成した。【００７７】
キャリアガス：ヘリウム５０ｍｌ／ｍｉｎ
水素圧力：０．５ＭＰａ
Ａｉｒ圧力：０．５ＭＰａ
カラム：パックドカラム（充填剤：ＳＥ−３０（Ｕｎｉｐｏｒｔ  ＨＰ  液相５％）、カラム長：２ｍ）
インジェクション温度：３００℃
ディテクター温度：３２０℃
カラム温度：８０℃で５分間保持後、２０℃／ｍｉｎで３００℃まで昇温し、その後、３００℃で５分間保持
数平均分子量（Ｍｎ）、重量平均分子量（Ｍｗ）：得られたポリエーテルポリオールを０．０５ｇ程度精秤し、Ｎ，Ｏ−ビス（トリメチルシリル）アセトアミド０．５ｇを加えた後、ジメチルホルムアミド（以下、「ＤＭＦ」と略す）／テトラヒドロフラン（以下、「ＴＨＦ」と略す）混合液（ＤＭＦ：ＴＨＦ＝１：９（重量比））を加えて１０ｍＬにメスアップし、測定試料とした。ゲルパーミエーションクロマトグラフィー（ＧＰＣ）ＨＬＣ−８０２０（東ソー（株）製）を用いて以下の条件で、測定試料を分析することにより、ポリエーテルポリオールの数平均分子量および重量平均分子量を求めた。【００７８】
溶離液：ＴＨＦ
溶離液流量：０．８ｍｌ／ｍｉｎ
溶離液温度：４０℃
カラム温度：４０℃
カラム：東ソー（株）製ＴＳＫｇｅｌ  Ｇ−３０００Ｈ、Ｇ−２０００Ｈ、Ｇ−１０００Ｈを直列につないで使用
検出器：ＲＩ
標準試料：ポリスチレン
分子量分布：ポリエーテルポリオールの数平均分子量（Ｍｎ）および重量平均分子量（Ｍｗ）から、以下の式に従い算出した。【００７９】
分子量分布（Ｍｗ／Ｍｎ）＝重量平均分子量／数平均分子量
平均水酸基数：ポリエーテルポリオールの、ＧＰＣ測定により得られた数平均分子量と水酸基価測定により得られた水酸基価より、以下の式にて平均水酸基数を算出した。【００８０】
平均水酸基数＝（数平均分子量×水酸基価）／（５６１０８＋７４×水酸基価）
分子量１０００以上の高分子量体量の定量：得られたポリエーテルポリオールを０．０５ｇ程度精秤し、ジメチルホルムアミド（以下、「ＤＭＦ」と略す）を加えて１０ｍＬにメスアップし、測定試料とした。ゲルパーミエーションクロマトグラフィー（ＧＰＣ）ＨＬＣ−８２２０（東ソー（株）製）を用いて以下の条件で、測定試料を分析することにより、ポリエーテルポリオールの分子量を求め、分子量１０００以上の高分子量体量の定量を行った。【００８１】
溶離液：ＤＭＦ（ＬｉＢｒを含む）
溶離液流量：０．６ｍｌ／ｍｉｎ
溶離液温度：４０℃
カラム温度：４０℃
カラム：東ソー（株）製ＴＳＫ−ＧＥＬ  ＳｕｐｅｒＡＷ３０００、ＳｕｐｅｒＡＷ２５００を直列につないで使用
検出器：ＲＩ
標準試料：ポリエチレングリコール
＜硬質ポリウレタンフォーム物性＞
コア密度：硬質ポリウレタンフォームのコア密度を、ＪＩＳ  Ｋ−６４００記載の方法により測定した。該コア密度は、ＪＩＳ規格での見かけ密度を指す。本発明では、フォームサンプルから直方体フォームサンプルを切り出したものを測定サンプルとした。【００８２】
圧縮強度：ＪＩＳ  Ｋ−７２２０、硬質発泡プラスチック−硬質材料の圧縮試験−に従い、発泡したフォームを８０×８０×４０ｍｍに切断し、発泡方向と平行な方向の圧縮強度を測定した。【００８３】
独泡率：ＡＳＴＭ Ｄ−２８５６に記載の方法により、「空気式見掛け容積測定器」を使用した見掛け容積率（％）の測定により、硬質ポリウレタンフォームの独泡率を測定した。本発明に係る独立気泡率は、東芝ベックマン空気比較比重計モデル９３０を用いて測定した値である。【００８４】
［実施例１］
（ポリエーテルポリオールの調製）
ジエチレングリコール１７５０ｇ（全アルコールに対し３０ｍｏｌ％）と水酸化ナトリウム１２１．７ｇとを蒸留塔および凝縮器を備えたフラスコに仕込み、窒素雰囲気下、温度２５０℃まで昇温させた。その後、温度を２５０℃に保ったまま、グリセリン３５００ｇ（全アルコールに対し７０ｍｏｌ％）を一定速度で５時間（１時間に仕込むグリセリンのモル数／ジエチレングリコールのモル数＝０．４６７）かけてフラスコに滴下し、滴下終了後８時間脱水縮合させ、ポリエーテルポリオール（１）を得た。【００８５】
このポリエーテルポリオール（１）３００ｇに１．０４ｍｏｌ／Ｌのシュウ酸水溶液９９．７６ｇを混合し、８５℃まで昇温し、１時間中和を行った。その後、１１０℃まで昇温し、徐々に減圧しながら１００分かけて最終的に１．２ｋＰａまで減圧し、その後６時間脱水を行った。脱水後のポリオールを５０℃まで冷却し、５Ｂのろ紙を用いて、０．４ＭＰａの圧力で加圧ろ過し、２６０．５ｇの精製ポリエーテルポリオール（２）を得た。このポリオールの水酸基価は７９０ｍｇＫＯＨ／ｇ、２５℃における粘度は２６８０ｍＰａ・ｓ、数平均分子量（Ｍｎ）は５９５、重量平均分子量（Ｍｗ）は８３６、分子量分布（Ｍｗ／Ｍｎ）は１．４１、平均水酸基数は４．１、分子量１０００以上の高分子量成分は３．２４ｗｔ％であった。【００８６】
（硬質ポリウレタン発泡体の作製）
このポリエーテルポリオール（２）１００部に、触媒としてテトラメチルヘキサメチレンジアミン４部、発泡剤として水３．６部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２５４．５６部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は４５．５ｋｇ／ｍ3、圧縮強度は１５２．６ｋＰａ、独泡率は８３．０％であった。【００８７】
［実施例２］
（ポリエーテルポリオールの調製）
ジエチレングリコール６５０ｇ（全アルコールに対し３０ｍｏｌ％）と水酸化ナトリウム４５．２ｇとを蒸留塔および凝縮器を備えたフラスコに仕込み、窒素雰囲気下、温度２５０℃まで昇温させた。その後、温度を２５０℃に保ったまま、グリセリン１３００ｇを（全アルコールに対し７０ｍｏｌ％）を一定速度で２０時間（１時間に仕込むグリセリンのモル数／ジエチレングリコールのモル数＝０．１１７）かけてフラスコに滴下し、滴下終了後１０時間脱水縮合させ、ポリエーテルポリオール（３）を得た。【００８８】
このポリエーテルポリオール（３）３００ｇに１．０２４ｍｏｌ／Ｌのシュウ酸水溶液１１０．８４ｇを混合し、８５℃まで昇温し、１時間中和を行った。その後、１１０℃まで昇温し、徐々に減圧しながら１００分かけて最終的に１．４ｋＰａまで減圧し、その後６時間脱水を行った。脱水後のポリオールを５０℃まで冷却し、５Ｂのろ紙を用いて、０．４ＭＰａの圧力で加圧ろ過し、２４５．０ｇの精製ポリエーテルポリオール（４）を得た。このポリオールの水酸基価は６２１ｍｇＫＯＨ／ｇ、２５℃における粘度は４９５０ｍＰａ・ｓ、数平均分子量（Ｍｎ）は７１３、重量平均分子量（Ｍｗ）は１０９５、分子量分布Ｍｗ／Ｍｎは１．５４、平均水酸基数は４．３、分子量１０００以上の高分子量成分は１２．２１ｗｔ％であった。【００８９】
（硬質ポリウレタン発泡体の作製）
このポリエーテルポリオール（４）１００部に、触媒としてテトラメチルヘキサメチレンジアミン４部、発泡剤として水３．１２部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２０４．６４部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は６１．２ｋｇ／ｍ3、圧縮強度は２６２．４ｋＰａ、独泡率は３９．８％であった。【００９０】
［実施例３］
（ポリエーテルポリオールの調製）
ジエチレングリコール６５０ｇ（全アルコールに対し３０ｍｏｌ％）と水酸化ナトリウム４５．２ｇとを蒸留塔および凝縮器を備えたフラスコに仕込み、窒素雰囲気下、温度２５０℃まで昇温させた。その後、温度を２５０℃に保ったまま、グリセリン１３００ｇ（全アルコールに対し７０ｍｏｌ％）を一定速度で１０時間（１時間に仕込むグリセリンのモル数／ジエチレングリコールのモル数＝０．２３３）かけてフラスコに滴下し、滴下終了後１４時間脱水縮合させ、ポリエーテルポリオール（５）を得た。【００９１】
このポリエーテルポリオール（５）３００ｇに１．０３６ｍｏｌ／Ｌのシュウ酸水溶液１０６．５３ｇを混合し、８５℃まで昇温し、１時間中和を行った。その後、１１０℃まで昇温し、徐々に減圧しながら１００分かけて最終的に０．７ｋＰａまで減圧し、その後４時間脱水を行った。脱水後のポリオールを５０℃まで冷却し、５Ｂのろ紙を用いて、０．４ＭＰａの圧力で加圧ろ過し、２４８ｇの精製ポリエーテルポリオール（６）を得た。このポリオールの水酸基価は５７１ｍｇＫＯＨ／ｇ、２５℃における粘度は６９９０ｍＰａ・ｓ、数平均分子量（Ｍｎ）は８０６、重量平均分子量（Ｍｗ）は１３９７、分子量分布Ｍｗ／Ｍｎは１．７３、平均水酸基数は４．７、分子量１０００以上の高分子量成分は１９．２ｗｔ％であった。【００９２】
（硬質ポリウレタン発泡体の作製）
このポリエーテルポリオール（６）１００部に、触媒としてテトラメチルヘキサメチレンジアミン４部、発泡剤として水３．６４部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２５５．４４部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は６８．９ｋｇ／ｍ3、圧縮強度は３６５．１ｋＰａ、独泡率は３４．２％であった。【００９３】
［実施例４］
（ポリエーテルポリオールの調製）
ジエチレングリコール８４５ｇ（全アルコールに対し４０ｍｏｌ％）と水酸化カリウム２０．１２ｇとを蒸留塔および凝縮器を備えたフラスコに仕込み、窒素雰囲気下、温度２５０℃まで昇温させた。グリセリン２２０ｇをフラスコに装入し、その後１時間ごとにグリセリン２２０ｇを計５回（全アルコールに対し６０ｍｏｌ％）フラスコに装入し、装入終了後１０時間脱水縮合させ、ポリエーテルポリオール（７）を得た。【００９４】
このポリエーテルポリオール（７）３００ｇに１．０３６ｍｏｌ／Ｌのシュウ酸水溶液２７．１６ｇを混合し、８５℃まで昇温し、１時間中和を行った。その後、１１０℃まで昇温し、徐々に減圧しながら１００分かけて最終的に１．０ｋＰａまで減圧し、その後４時間脱水を行った。脱水後のポリオールを５０℃まで冷却し、５Ｂのろ紙を用いて、０．４ＭＰａの圧力で加圧ろ過し、２０３ｇの精製ポリエーテルポリオール（８）を得た。このポリオールの水酸基価は７９１ｍｇＫＯＨ／ｇ、２５℃における粘度は１４００ｍＰａ・ｓ、数平均分子量（Ｍｎ）は５８９、重量平均分子量（Ｍｗ）は８９７、分子量分布Ｍｗ／Ｍｎは１．５２、平均水酸基数は４．１、分子量１０００以上の高分子量成分は７．９８ｗｔ％であった。【００９５】
（硬質ポリウレタン発泡体の作製）
このポリエーテルポリオール（８）１００部に、触媒としてテトラメチルヘキサメチレンジアミン４部、発泡剤として水３．６４部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２５５．５４部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は４２．４ｋｇ／ｍ3、圧縮強度は１５３．５ｋＰａ、独泡率は７９．６％であった。【００９６】
［比較例１］
（ポリエーテルポリオールの調製）
グリセリン１３００ｇ（全アルコールに対し７０ｍｏｌ％）、ジエチレングリコール６５０ｇ（全アルコールに対し３０ｍｏｌ％）と水酸化カリウム２０．４６ｇとを蒸留塔および凝縮器を備えたフラスコに仕込み、窒素雰囲気下、温度２５０℃まで昇温させた。その後、温度を２５０℃に保ったまま２２時間脱水縮合させ、ポリエーテルポリオール（９）を得た。【００９７】
このポリエーテルポリオール（９）６００ｇに１．０１ｍｏｌ／Ｌのシュウ酸水溶液７６．７ｇを混合し、８５℃まで昇温し、１時間中和を行った。その後、１１０℃まで昇温し、徐々に減圧しながら１００分かけて最終的に１．０ｋＰａまで減圧し、その後４時間脱水を行った。脱水後のポリオールを５０℃まで冷却し、５Ｂのろ紙を用いて、０．４ＭＰａの圧力で加圧ろ過し、５１５ｇの精製ポリエーテルポリオール（１０）を得た。このポリオールの水酸基価は７９９ｍｇＫＯＨ／ｇ、２５℃における粘度は４９５０ｍＰａ・ｓ、数平均分子量（Ｍｎ）は６９７、重量平均分子量（Ｍｗ）は１２００、分子量分布Ｍｗ／Ｍｎは１．７２、平均水酸基数は４．８、分子量１０００以上の高分子量成分は１３．７１ｗｔ％であった。【００９８】
（硬質ポリウレタン発泡体の作製）
このポリエーテルポリオール（１０）１００部に、触媒としてテトラメチルヘキサメチレンジアミン１．５部、発泡剤として水３．６４部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２５７．４５部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は４８．４ｋｇ／ｍ3、圧縮強度は１７６．７ｋＰａ、独泡率は７５．４％であった。【００９９】
［比較例２］
（ポリエーテルポリオールの調製）
グリセリン１３００ｇ（全アルコールに対し７０ｍｏｌ％）、ジエチレングリコール６５０ｇ（全アルコールに対し３０ｍｏｌ％）と水酸化カリウム２０．４６ｇとを蒸留塔および凝縮器を備えたフラスコに仕込み、窒素雰囲気下、温度２５０℃まで昇温させた。その後、温度を２５０℃に保ったまま５３時間脱水縮合させ、ポリエーテルポリオール（１１）を得た。【０１００】
このポリエーテルポリオール（１１）６００ｇに１．０１ｍｏｌ／Ｌのシュウ酸水溶液８０．９ｇを混合し、８５℃まで昇温し、１時間中和を行った。その後、１１０℃まで昇温し、徐々に減圧しながら１００分かけて最終的に１．０ｋＰａまで減圧し、その後４時間脱水を行った。脱水後のポリオールを５０℃まで冷却し、５Ｂのろ紙を用いて、０．４ＭＰａの圧力で加圧ろ過し、４８９ｇの精製ポリエーテルポリオール（１２）を得た。このポリオールの水酸基価は６３２ｍｇＫＯＨ／ｇ、２５℃における粘度は１４８００ｍＰａ・ｓ、数平均分子量（Ｍｎ）は８０２、重量平均分子量（Ｍｗ）は１７２７、分子量分布Ｍｗ／Ｍｎは２．１５、平均水酸基数は４．９、分子量１０００以上の高分子量成分は２８．３６ｗｔ％であった。【０１０１】
（硬質ポリウレタン発泡体の作製）
このポリエーテルポリオール（１２）１００部に、触媒としてテトラメチルヘキサメチレンジアミン１．２部、発泡剤として水３．１４部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２０７．７２部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は６９．２ｋｇ／ｍ3、圧縮強度は３８３．６ｋＰａ、独泡率は２３．６％であった。【０１０２】
［比較例３］
（ポリエーテルポリオールの調製）
グリセリン１１００ｇ（全アルコールに対し６０ｍｏｌ％）、ジエチレングリコール８４５ｇ（全アルコールに対し４０ｍｏｌ％）と水酸化カリウム２０．１２ｇとを蒸留塔および凝縮器を備えたフラスコに仕込み、窒素雰囲気下、温度２５０℃まで昇温させた。その後、温度を２５０℃に保ったまま２０時間脱水縮合させ、ポリエーテルポリオール（１３）を得た。【０１０３】
このポリエーテルポリオール（１３）６００ｇに１．０１ｍｏｌ／Ｌのシュウ酸水溶液７７．８ｇを混合し、８５℃まで昇温し、１時間中和を行った。その後、１１０℃まで昇温し、徐々に減圧しながら１００分かけて最終的に１．０ｋＰａまで減圧し、その後４時間脱水を行った。脱水後のポリオールを５０℃まで冷却し、５Ｂのろ紙を用いて、０．４ＭＰａの圧力で加圧ろ過し、５２１ｇの精製ポリエーテルポリオール（１４）を得た。このポリオールの水酸基価は８０４ｍｇＫＯＨ／ｇ、２５℃における粘度は１４７０ｍＰａ・ｓ、数平均分子量（Ｍｎ）は６４７、重量平均分子量（Ｍｗ）は１０５５、分子量分布Ｍｗ／Ｍｎは１．６３、平均水酸基数は４．５、分子量１０００以上の高分子量成分は９．３９ｗｔ％であった。【０１０４】
（硬質ポリウレタン発泡体の作製）
このポリエーテルポリオール（１４）１００部に、触媒としてテトラメチルヘキサメチレンジアミン２．４部、発泡剤として水３．６６部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）２５９．０２部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は４１．１ｋｇ／ｍ3、圧縮強度は１２１．３ｋＰａ、独泡率は５５．１％であった。【０１０５】
［比較例４］
（ポリエーテルポリオールの調製）
グリセリン１１００ｇ（全アルコールに対し６０ｍｏｌ％）、ジエチレングリコール８４５ｇ（全アルコールに対し４０ｍｏｌ％）と水酸化カリウム２０．１２ｇとを蒸留塔および凝縮器を備えたフラスコに仕込み、窒素雰囲気下、温度２５０℃まで昇温させた。その後、温度を２５０℃に保ったまま７８時間脱水縮合させ、ポリエーテルポリオール（１５）を得た。【０１０６】
このポリエーテルポリオール（１５）６００ｇに１．０１ｍｏｌ／Ｌのシュウ酸水溶液７６．７ｇを混合し、８５℃まで昇温し、１時間中和を行った。その後、１１０℃まで昇温し、徐々に減圧しながら１００分かけて最終的に１．０ｋＰａまで減圧し、その後４時間脱水を行った。脱水後のポリオールを５０℃まで冷却し、５Ｂのろ紙を用いて、０．４ＭＰａの圧力で加圧ろ過し、４６７ｇの精製ポリエーテルポリオール（１６）を得た。このポリオールの水酸基価は５０７ｍｇＫＯＨ／ｇ、２５℃における粘度は７０３０ｍＰａ・ｓ、数平均分子量（Ｍｎ）は８２７、重量平均分子量（Ｍｗ）は１６０４、分子量分布Ｍｗ／Ｍｎは１．９４、平均水酸基数は４．５、分子量１０００以上の高分子量成分は２７．８５ｗｔ％であった。【０１０７】
（硬質ポリウレタン発泡体の作製）
このポリエーテルポリオール（１６）１００部に、触媒としてテトラメチルヘキサメチレンジアミン１．２部、発泡剤として水２．７６部、整泡剤としてシリコーン整泡剤Ｘ−２０−１３２８（信越化学工業（株）製）２部を混合し、レジンプレミックスを調製した。このレジンプレミックスにポリメリックＭＤＩ（三井化学（株）製Ｍ−２００）１７０．４１部を加え、ダイナミックミキサーで攪拌した後、混合液を２００ｍｍ×２００ｍｍ×２００ｍｍのフリー発泡用ＢＯＸに注入し硬質ポリウレタンフォームを得た。このポリウレタンフォームの密度は７１．５ｋｇ／ｍ3、圧縮強度は３６５．２ｋＰａ、独泡率は１２．７％であった。
【産業上の利用可能性】
【０１０８】
本発明のポリエーテルポリオールは粘度が低く、分子量１０００以上の高分子量体が抑制されているため、硬質ポリウレタン発泡体の原料として好適に使用することができる。また、このポリエーテルポリオールを用いて製造した本発明の硬質ポリウレタン発泡体は建材パネル、冷蔵庫、冷凍庫、配管などの断熱材に利用することができる。また、住宅、自動車などの構造支持材として利用することもできる。